(57)【特許請求の範囲】
【請求項１】
原稿搬送手段により原稿が搬送される搬送経路と、
該搬送経路上を搬送される原稿の画像情報を読取位置で読取り電気信号へ変換する画像読取り手段と、
前記搬送経路上を搬送される原稿を前記読取位置で前記画像読取り手段に押圧する押圧手段と、
前記押圧手段よりも前記搬送経路の下流側で前記搬送経路を遮るように配設され、搬送される原稿が当接することにより撓んで前記搬送経路から退避する当接部材と、
を備えた画像読取り装置において、
前記当接部材は、搬送される原稿が当接し撓んだ状態において、搬送される原稿と当接する位置よりも先端側である該当接部材の先端部を、搬送経路から離間させる曲部を備えることを特徴とする画像読取り装置。
【請求項２】
前記当接部材は、導電性を有することを特徴とする請求項１に記載の画像読取り装置。
【請求項３】
前記当接部材は、接地されることを特徴とする請求項２に記載の画像読取り装置。
【請求項４】
前記押圧手段は、導電性を有し、接地され、
前記当接部材は、該押圧手段に備えられ、前記押圧部材を介して接地されることを特徴とする請求項３に記載の画像読取り装置。
【請求項５】
前記当接部材は、光透過率２０％以下の特性を備えることを特徴とする請求項１乃至４のいずれか１項に記載の画像読取り装置。
【請求項６】
請求項１乃至５のいずれか１項に記載の画像読取り装置と、
この画像読取り装置で読取った原稿の画像情報を感光体に露光させる露光手段と、
前記感光体に露光した画像情報を記録材に記録する画像形成手段と
を備えることを特徴とする画像形成装置。
【発明の詳細な説明】
【０００１】
【発明の属する技術分野】
本発明は、原稿移動型画像読取り装置機構を有する複写機、プリンタ、ファクシミリ、マルチファンクションプリンタ等の画像形成装置に関し、特に、画像読取り装置の画像読取り部への外乱遮光に関するものである。
【０００２】
【従来の技術】
従来の画像読取り装置を図を用いて説明する。
【０００３】
図４は、従来例の原稿移動型の画像読取り装置５１の概略構成図である。
【０００４】
画像読取り装置５１において、分離ローラ６２，搬送ローラ６０，原稿画像を読取る手段であるコンタクトイメージセンサ５２（以下ＣＩＳと称す），排紙ローラ５８を含む下フレーム６４と、分離パッド６３，搬送コロ６１，原稿押付け板５３（以下白地板と称す），排紙コロ５９を有する上フレーム５６がワニ口状に開口している。
【０００５】
従来、原稿移動型の画像読取り装置５１の遮光手段は、図４に示すようにＣＩＳ５２に対向する上フレーム５６に配置された、原稿画像を読取る際に原稿Ｐ裏面から原稿Ｐを押さえつけるための白地板５３の下流に、外乱光を遮断する一平面のＰＥＴ状の遮光シート５５を上フレーム５６に配置構成させている。
【０００６】
すなわち、ＣＩＳ５２の読み取り時に排紙口からの外乱光が読取り画像へ影響を及ぼさない為に、一平面の遮光シート５５をＣＩＳ５２の読取り下流側を覆うように、白地板５３が入り込む上フレーム５６の凹形状の下流側に、両面テープで貼り付けた配置構成となっていた。
【０００７】
原稿Ｐは、上フレーム５６と下フレーム６４との間を、遮光シート５５によりＣＩＳ５２方向へ押さえつけられる様にして、常に遮光シート５５の端面に原稿Ｐ裏面が接触しながら搬送される。
【０００８】
画像読取り装置５１内を通過した原稿Ｐは、若干の静電気を帯びている。
【０００９】
除電ブラシ６５は、原稿Ｐに帯びている静電気を取り除くための除電手段であって、導電繊維を編み込んだ柔らかな紐状の集まりでできており、上フレーム５６の原稿搬送最下流側に、排出される原稿Ｐに柔らかく触れる事で除電を行う様に配置構成されている。
【００１０】
【発明が解決しようとする課題】
しかしながら、上記のような従来技術のように遮光シート５５を構成すると、原稿Ｐ通紙時に遮光シート５５の端面に原稿Ｐ裏面がこすれながら搬送排紙される事となり、下記のような問題が生じていた。
【００１１】
原稿Ｐ通紙時に、遮光シート５５端面で原稿Ｐ裏面を削る事となり、原稿Ｐ裏面に擦りキズが付いてしまう。裏面にトナー、インク、エンピツなどのはがれやすい異物が付着した原稿Ｐから削り取られた異物は、遮光シート５５の端面に付着し、通紙する原稿Ｐの裏面、及び後端面を汚すため、原稿Ｐのキズ、汚れの原因となっていた。
【００１２】
本発明は上記の従来技術の課題を解決するためになされたもので、その目的とするところは、原稿のキズ、汚れを回避しながら外乱遮光による読取り画像の影響を防止する画像読取り装置及びこの画像読取り装置を備えた画像形成装置を提供することにある。
【００１３】
【課題を解決するための手段】
上記目的を達成するために本発明にあっては、
原稿搬送手段により原稿が搬送される搬送経路と、
該搬送経路上を搬送される原稿の画像情報を読取位置で読取り電気信号へ変換する画像読取り手段と、
前記搬送経路上を搬送される原稿を前記読取位置で前記画像読取り手段に押圧する押圧手段と、
前記押圧手段よりも前記搬送経路の下流側で前記搬送経路を遮るように配設され、搬送される原稿が当接することにより撓んで前記搬送経路から退避する当接部材と、
を備えた画像読取り装置において、
前記当接部材は、搬送される原稿が当接し撓んだ状態において、搬送される原稿と当接する位置よりも先端側である該当接部材の先端部を、搬送経路から離間させる曲部を備えることを特徴とする。
【００１５】
また、前記当接部材は、導電性を有することも好適である。
【００１６】
また、前記当接部材は、接地されることも好適である。
【００１７】
前記押圧手段は、導電性を有し、接地され、
前記当接部材は、該押圧手段に備えられ、前記押圧部材を介して接地されることも好適である。
【００１８】
また、前記当接部材は、光透過率２０％以下の特性を備えることも好適である。
【００１９】
画像形成装置においては、上記記載の画像読取り装置と、この画像読取り装置で読取った原稿の画像情報を感光体に露光させる露光手段と、前記感光体に露光した画像情報を記録材に記録する画像形成手段とを備えることを特徴とする。
【００２０】
【発明の実施の形態】
以下に図面を参照して、この発明の好適な実施の形態を説明する。ただし、この実施の形態に記載されている構成部品の寸法、材質、形状、その相対配置などは、特に特定的な記載がないかぎりは、この発明の範囲をそれらのみに限定する趣旨のものではない。
【００２１】
（実施の形態１）
図１は本発明の第１の実施の形態に係る原稿移動型の画像読取り装置１の概略断面図である。
【００２２】
画像読取り装置１において、分離ローラ１２，搬送ローラ１０，搬送される原稿画像を読取る画像読取り手段としてのコンタクトイメージセンサ２（以下ＣＩＳと称す），排紙ローラ８を含む下フレーム１４と、分離パッド１３，搬送コロ１１，原稿Ｐを読み取る際に原稿Ｐを裏から押し付ける押圧手段としての白地板３，排紙コロ９を有する上フレーム６がワニ口状に開口している。
【００２３】
原稿Ｐは、上フレーム６とＣＩＳ２上流に配置構成されている搬送ガイド７との間を通紙され、ＣＩＳ２に導入された後、上フレーム６に固定された押圧手段としての押圧バネ４に付勢される白地板３により、ＣＩＳ２の画像読取り面（読取位置）に押し付られる。
【００２４】
原稿Ｐは、白地板３によってＣＩＳ２の画像読取り面に押し付けられながら、ＣＩＳ２により原稿画像を読み取られる。
【００２５】
通紙された原稿Ｐは、下フレーム１４と上フレーム６の間を通紙後、排紙ローラ８、排紙コロ９により排紙され、排紙口より排出される。
【００２６】
画像読取り装置１内を通過した原稿Ｐは、若干の静電気を帯びている。
【００２７】
除電ブラシ１５は、原稿Ｐに帯びている静電気を取り除くための除電手段であって、導電繊維を編み込んだ柔らかな紐状の集まりでできており、上フレーム６の原稿搬送最下流側に、排出される原稿Ｐに柔らかく触れる事で除電を行う様に配置構成されている。
【００２８】
ここで、排紙ローラ８、排紙コロ９は原稿幅方向の中央部にのみ配置されており、上フレーム６と下フレーム１４との間には原稿排紙口の間口があるので外乱光が入り込む。原稿画像を読み取る際にＣＩＳ２に外乱光が入り込むと、読取り画像が白くなる等の不具合が生じるため遮光しなければならない。
【００２９】
遮光手段として、上フレーム６の白地板３下流に、弾性材料で構成され、先端を原稿Ｐの通紙の妨げにならない方向に曲げを加えた当接部材としての遮光シート５を、白地板３が配置されている上フレーム６の凹部の、白地板３の下流側の面に設け（両面テープでの貼り付けやビス止めなどの方法による）、読み取り時の画像に関する不具合の解消を行う。
【００３０】
原稿通紙時、原稿Ｐを遮光シート５によりＣＩＳ２側へ押し付けて通紙させてＣＩＳ２への遮光を行うが、遮光シート５は搬送される原稿Ｐが当接し撓んだ状態において、曲部によりその先端部は搬送経路から離間する。
【００３１】
このように、原稿Ｐは遮光シート５の曲部の滑面で接触するようになり、従来より懸念されていた原稿通紙後の原稿Ｐ裏面のキズ、原稿Ｐ後端部の汚れを回避できる。
【００３２】
また、この遮光シート５に光透過率２０％以下の材料を用いる事で、より確実に外乱光を防ぐ事ができる。
【００３３】
（実施の形態２）
次に、本発明の第２の実施の形態を図２を用いて説明する。
【００３４】
図２は、本発明の第２の実施の形態に係る原稿移動型の画像読取り装置１Ａの概略断面図であり、第１の実施の形態と同様の構成部分については同一の符号を付して、その説明は省略する。
【００３５】
本発明の曲げを加えた遮光シート５は導電性を持たせて接地し、上フレーム６の白地板３が入り込む凹部の下流に両面テープで貼り付ける。
【００３６】
原稿通紙時、遮光シート５はＣＩＳ２への遮光と同時に除電効果を得る事ができる。
【００３７】
また、この遮光シート５に光透過率２０％以下の材料を用いる事で、より確実に外乱光を防ぐ事が可能となる。
【００３８】
（実施の形態３）
次に、本発明の第３の実施の形態を図３を用いて説明する。
【００３９】
図３は、本発明の第３の実施の形態に係る原稿移動型の画像読取り装置１Ｂの概略断面図であり、第１，第２の実施の形態と同様の構成部分については同一の符号を付して、その説明は省略する。
【００４０】
原稿読取り時にＣＩＳ２から原稿Ｐが浮かない様に、ＣＩＳ２の対向側にＣＩＳ２へ原稿を押しつけるための白地板３を配置構成し、先端を原稿通紙の妨げにならない方向へ曲げを加えた遮光シート５を、白地板３下流に配置構成する。
【００４１】
遮光シート５はＣＩＳ２に、より近い位置で遮光を行う事で、更に高い遮光効果が得られる。
【００４２】
また、この遮光シート５に導電性を持たせることで、原稿通紙時、遮光シート５はＣＩＳ２への遮光と同時に除電効果を得る事ができる。
【００４３】
また、白地板３の材料を導電性材料で構成し、白地押圧バネ４を介して接地する。接地した白地板３に導電性を有した遮光シート５を配設することによって、更に確実な除電効果が得られる。
【００４４】
また、この遮光シート５に光透過率２０％以下の材料を用いる事で、より確実に外乱光を防ぐ事が可能となる。
【００４５】
【発明の効果】
以上説明したように、本発明によれば、原稿通紙の際に、原稿は当接部材の端部と当接することがなく、常に当接部材の曲部と当接するので、原稿と当接部材は滑らかに当接し、原稿通紙時の原稿裏面のキズ、原稿後端の汚れを防止することが可能となる。
【００４６】
また、当接部材及び押圧手段に導電材を用い、接地する事で、原稿に帯びている静電気を取り除くことが可能となり、さらに、静電気に弱い画像読取り手段への対静電気効果を大きく得る事ができる。
【００４７】
また、従来、原稿に帯びている静電気を取り除く為に排紙口付近に取り付けられていた除電手段を不要とすることができ、簡易な構成にすることができる。
【００４８】
また、光透過率２０％以下の特性を備える当接部材を用いることにより、より確実に外乱光を防ぐことが可能となる。
【図面の簡単な説明】
【図１】図１は本発明の第１の実施の形態に係る原稿移動型画像読取り装置の概略断面図である。
【図２】図２は本発明の第２の実施の形態に係る原稿移動型画像読取り装置の概略断面図である。
【図３】図３は本発明の第３の実施の形態に係る原稿移動型画像読取り装置の概略断面図である。
【図４】図４は従来例の画像読取り装置の概略断面図である。
【符号の説明】
１，１Ａ，１Ｂ  画像読取り装置
２  コンタクトイメージセンサ（ＣＩＳ，画像読取り手段）
３  白地板（押圧手段）
４  白地押圧バネ（押圧手段）
５  遮光シート（当接部材）
６  上フレーム
７  搬送ガイド
８  排紙ローラ
９  排紙コロ
１０  搬送ローラ
１１  搬送コロ
１２  分離ローラ
１３  分離パッド
１４  下フレーム
１５  除電ブラシ
Ｐ  原稿
【図１】
0004077971.tif 000002
【図２】
0004077971.tif 000003
【図３】
0004077971.tif 000004
【図４】
0004077971.tif 000005